(57)【要約】【目的】  衣服の寸法直しを業とするリフォーム工場での針の管理を確実かつ容易に行うことができる針刺しを提供する。【解決手段】  針刺し１が、硬質のケース体と、上記ケース体内に収容されたゴム製の本体と、を備え、該針刺しの少なくとも底部に磁性材料が使用されていることを特徴とする。一実施例においては、上記磁性材料が硬磁性材料から形成されていることを特徴とする。他の実施例においては、上記磁性材料が軟磁性材料から形成されていることを特徴とする。【選択図】  図１
2016023376.tif 000002
【特許請求の範囲】
【請求項１】
硬質のケース体と、
上記ケース体内に収容されたゴム製の本体と、
を備える針刺しであって、
該針刺しの少なくとも底部に磁性材料が使用されていることを特徴とする針刺し。
【請求項２】
上記磁性材料が硬磁性材料であることを特徴とする請求項１に記載の針刺し。
【請求項３】
硬質のケース体と、
上記ケース体内に収容されたゴム製の本体と、
を備える針刺しであって、
上記ゴム製の本体内に粉末状の磁性材料が拡散されていることを特徴とする針刺し。
【請求項４】
硬質のケース体と、
上記ケース体内に収容されたゴム製の本体と、
待ち針の頭部に接続されているとともに上記ケース体にも接続されている紐体と、
を備える針刺しであって、
該針刺しの少なくとも底部に磁性材料が使用されていることを特徴とする針刺し。
【発明の詳細な説明】
【技術分野】
【０００１】
本発明は、衣服の寸法直しを業とするリフォーム工場での使用に適した針刺しに関し、詳しくは、針刺しに刺されている針に磁気的な引力が作用することで、針が簡単に抜けてしまうことがない針刺しに関する。
【背景技術】
【０００２】
従来、縫製用の縫い針や待ち針などの針の保管は、綿などの心材を布で包んで形成された針刺しが使われていて、これに、複数の縫い針や待ち針が刺されて保管される。針刺しはまた、縫製作業中に縫い針や待ち針などの針を一時的に保持するのにも使われる。
【０００３】
衣服の寸法直し等を業とする衣服のリフォーム工場等では、多くの針が使われているが、リフォーム後に顧客へ返却する衣服に針が混入していることがあってはならない。
【０００４】
よって、リフォーム工場等で使用されている複数の針を確実に管理するのに適切な針刺しが必要とされている。
【先行技術文献】
【特許文献】
【０００５】
【特許文献１】特開平１１−１１７１１６号公報
【発明の概要】
【発明が解決しようとする課題】
【０００６】
本発明は、安全かつ確実に針の管理を行うことができる針刺しを提供することを目的とする。さらには、針刺しに刺さっている針に磁気的な引力が作用することで針が簡単に抜けてしまうことのない針刺しを提供することを目的とする。
【課題を解決するための手段】
【０００７】
本発明の針刺しの一実施例においては、硬質のケース体と、上記ケース体内に収容されたゴム製の本体と、を備える針刺しであって、該針刺しの少なくとも底部に磁性材料が使用されていることを特徴とする。
【０００８】
また、磁性材料として硬磁性材料（永久磁石など）が使われていることを特徴とする。
【０００９】
本発明の針刺しの他の実施例においては、硬質のケース体と、上記ケース体内に収容されたゴム製の本体と、を備える針刺しであって、上記ゴム製の本体内に粉末状の磁性材料が拡散されていることを特徴とする。
【００１０】
本発明の他の実施例においては、硬質のケース体と、上記ケース体内に収容されたゴム製の本体と、待ち針の頭部に接続されているとともに上記ケース体にも接続されている紐体と、を備える針刺しであって、該針刺しの少なくとも底部に磁性材料が使用されていることを特徴とする。
【発明の効果】
【００１１】
本発明の針刺しは、刺されている針に磁力が作用することにより針が簡単に抜けてしまうことがないという効果があるので、個別の針を安全に保管しておくことができる。
【００１２】
本発明の針刺しに縫製用の縫い針や待ち針を刺して保管することにより、個別の針の所在を確認できるので、リフォーム中に衣服に針が混入することを防ぐことができる。
【００１３】
また、使用者ごとに針刺しの外面等に個別の色や番号などを付して識別可能にしておくことにより、１日の作業終了時に、使用者の各人が使用した針の所在を確認し易い。
【００１４】
ケース４は、針が貫通してしまうことを阻止する硬い樹脂や金属などから形成するとよい。一実施例においては、針刺し１のケース４全体を永久磁石から形成することで、針刺し１に刺さっている針に磁気的な引力が作用するので、針が簡単に抜けてしまうことがないという効果がある。
【図面の簡単な説明】
【００１５】
【図１】本発明に係る針刺しの一例を示す斜視図。
【図２】他の形態の針刺しを示す斜視図。
【図３】他の形態の針刺しを示す斜視図。
【図４】紐体を介して待ち針と接続された針刺しを示す斜視図。
【図５】紐体を介して針刺しと待ち針が接続された状態の斜視図。
【図６】紐体を介して針刺しと待ち針が接続された状態の斜視図。
【図７】針刺しと針刺し置きプレートとの組み合わせ使用例を示す斜視図。
【図８】針刺しと針刺し置きプレートとの組み合わせ使用例を示す斜視図。
【図９】針刺しと針刺し置きプレートとの組み合わせ使用例を示す斜視図。
【図１０】針刺しに縫い針を刺した状態の斜視図。
【発明を実施するための形態】
【００１６】
本発明の針刺しについて、添付の図１〜図１０を参照して説明する。
【００１７】
図１は、ゴム（シリコーンゴムを含む）、発砲材などの軟らかい材料から形成された針刺し１の本体１ａを示している。一実施例においては、針刺し１の本体１ａの形状は、円柱形の形状に形成されている。
【００１８】
図１（ａ）に示される実施例においては、針刺しの本体１ａの底部に、針が貫通することを阻止する硬い部材からなる貫通阻止部材２が設けられている。
【００１９】
図１（ｂ）に示される実施例においては、針が貫通することを阻止する硬い部材からなる貫通阻止部材２が針刺しの本体１ａ内に設けられている。すなわち、針刺し１の本体１ａの内部に貫通阻止部材２（破線で示されている）が埋設されている。
【００２０】
貫通阻止部材２は、針の貫通を阻止する硬い樹脂や金属から形成されているとよい。特には、永久磁石（硬磁性材料）製の貫通阻止部材２を使用することで、針刺し１の本体１ａに刺さっている針に磁気的な引力が作用するので、針刺し１に刺さっている針が簡単に抜けてしまうことがない。
【００２１】
図２および図３に示される本針刺し１の他の実施例においては、針刺し１の本体１ａがケース４内に収容されている。図２には、円柱形の形状に形成されたケース４が示されている。一実施例においては、円柱の高さは約３ｍｍの寸法を有し、円柱の円の直径は約２．７ｍｍの寸法を有するとよい。他の実施例においては、円柱の高さは約１ｃｍの寸法を有し、円柱の円の直径は約３ｍｍの寸法を有する場合もある。
【００２２】
図３に示される実施例においては、針刺し１のケース４の形状は、半球形（帽子形）の形状に形成されている。一実施例においては、７ｍｍ〜８ｍｍの直径を有する球の一部がカットされた、ほぼ半球形の形状に形成されている。
【００２３】
図２（ａ）および図３（ａ）は、磁性材料から形成されているケース４を示している。図２（ｂ）および図３（ｂ）に示される実施例においては、ケース４の底部に貫通阻止部材２としての永久磁石が設けられている。図２（ｃ）および図３（ｃ）に示される実施例においては、ゴム（シリコーンゴムを含む）、発砲材などからなる本体１ａの内部に、貫通阻止部材２としての永久磁石が埋め込まれている。
【００２４】
図４は、第２の実施形態の針刺し１を示す。第２の実施形態の針刺し１のケース４には、紐体６の一端が繋がっていて、この紐体６の他端は、待ち針５の頭部に接続できるようになっている。
【００２５】
図５は、ケース４と待ち針５の頭部が紐体６を介して接続されている様子を示している。図５に示されるように、針刺し１と待ち針５とが繋がっているので、針刺し１を使いたい時にすぐに使うことができる。
【００２６】
図６は、第２の実施形態の針刺し１の本体１ａに待ち針５が突き刺されている状態を示している。例えば、試着室（フィッティングルーム）等で試着をする際に、図６に示される状態となるように針刺し１を使用すれば、誤って待ち針５が人に刺さることを防ぐことができる。
【００２７】
一実施例においては、本発明の針刺し１は、針刺し置きプレート３上にくっ付けることができる。図７（ａ）に示される実施例においては、針刺し１の少なくとも底部が永久磁石から形成されているので、スチール製の針刺し置きプレート３上に針刺し１をくっ付けることができる。図７（ｂ）に示される実施例においては、針刺し１の底部の貫通阻止部材２としてスチール製の貫通阻止部材２を用いているので、このスチールとの間で磁気的な引力が作用する磁性体から形成された針刺し置きプレート３上に針刺し１をくっ付けることができる。
【００２８】
図８に示されるように、第２の実施形態の針刺し１も針刺し置きプレート３上にくっ付けることができる。図８に示される針刺し１は、図６（ａ）に示したのと同じ針刺し１である。
【００２９】
図８（ａ）に示される実施例においては、図６（ａ）に示した第２の実施形態の針刺し１のケース４の少なくとも底部が永久磁石から形成されていて、針指し１に針を刺した後（あるいは刺す前）に、この針刺し１をスチール製の針刺し置きプレート３にくっ付けることができる。
【００３０】
図８（ｂ）に示される他の実施例においては、図６（ａ）に示した第２の実施形態の針刺し１のケース４の少なくとも底部がスチール（軟磁性材料）で形成されていて、針指し１に針を刺した後（あるいは刺す前）に、この針刺し１を、永久磁石（マグネット）製の針刺し置きプレート３にくっ付けることができる。こうして、複数の第２の実施例の針刺し１も一か所にまとめておくことができる。
【００３１】
図９（ａ）および図９（ｂ）は、図６（ｂ）に示した第２の実施形態の針刺し１が、針刺し置きプレート３に磁力でくっ付いている様子を示している。
【００３２】
図１０は、針刺し１に刺さっている縫い針７を示している。本発明の第１の実施形態に示される針刺し１は、縫製用のミシン針を刺しておくのにも使用することができる。
【００３３】
なお、使用者に応じて針刺し１のケース４の外面等に個別の色や番号を付して、複数の針刺しを互いに識別可能にしておくとよい。
【００３４】
本発明のさらなる実施例においては、砂消しゴムを作るのと同じ要領で、ゴム（シリコーンゴムを含む）または発砲材からなる本体１ａ内に粉末状の磁性材料が拡散されている。この実施例においては、針刺し１に少しだけ刺さっている針にも磁力が作用するので、どの針も簡単には抜けないようになっている。
【符号の説明】
【００３５】
１…針刺し
１ａ…本体
２…貫通阻止部材
３…針刺し置きプレート
４…ケース
５…待ち針
６…紐体
７…縫い針
【図１】
2016023376.tif 000003
【図２】
2016023376.tif 000004
【図３】
2016023376.tif 000005
【図４】
2016023376.tif 000006
【図５】
2016023376.tif 000007
【図６】
2016023376.tif 000008
【図７】
2016023376.tif 000009
【図８】
2016023376.tif 000010
【図９】
2016023376.tif 000011
【図１０】
2016023376.tif 000012